(57)【要約】読取装置（１００）は、読取部（１４３）と、筐体（１６０）と、カバー部（１１０）と、搬送部（１３０）と、介在部材（１７０）と、制御部（１５３）と、ケーブル（１８０）と、連結部材（１９０）とを備える。筐体（１６０）は、読取部（１４３）を収容する。カバー部（１１０）は、筐体（１６０）上に載置可能である。搬送部（１３０）は、カバー部（１１０）に収容され、シートを搬送する。介在部材（１７０）は、カバー部（１１０）と筐体（１６０）との間に介在する。制御部（１５３）は、筐体（１６０）に収容され、搬送部（１３０）を制御する。ケーブル（１８０）は、制御部（１５３）に接続されると共に、搬送部（１３０）に接続され、制御部（１５３）の出力した制御信号を搬送部（１３０）に送る。連結部材（１９０）は、カバー部（１１０）に連結されると共に、筐体（１６０）に連結される。
2019097968.tif 000002
【特許請求の範囲】
【請求項１】
シートに形成された画像を読み取る読取部と、
前記読取部を収容する筐体と、
前記筐体上に載置可能なカバー部と、
前記カバー部に収容され、シートを搬送する搬送部と、
前記カバー部と前記筐体との間に介在する介在部材と、
前記筐体に収容され、前記搬送部を制御する制御部と、
前記制御部に接続されると共に、前記搬送部に接続され、前記制御部の出力した制御信号を前記搬送部に送るケーブルと、
前記カバー部に連結されると共に、前記筐体に連結される連結部材と
を備え、
前記筐体には、前記介在部材を設置するための筐体孔が形成され、
前記介在部材は、
前記筐体孔に挿入され、鉛直方向に沿って移動可能に支持される第１部材と、
前記第１部材に回転可能に取り付けられる第２部材と
を含み、
前記カバー部が前記第２部材に固定される、読取装置。
【請求項２】
前記連結部材は、可撓性を有する、請求項１に記載の読取装置。
【請求項３】
前記連結部材は、導電性を有する、請求項１に記載の読取装置。
【請求項４】
前記連結部材は、前記筐体の内部で前記筐体に連結される、請求項１に記載の読取装置。
【請求項５】
前記第１部材が前記筐体孔に挿入された状態を保持しつつ、前記連結部材が張るような長さを前記連結部材が有する、請求項１に記載の読取装置。
【請求項６】
前記ケーブルが弛んだ状態で、前記連結部材が張るような長さを前記連結部材が有する、請求項１に記載の読取装置。
【請求項７】
前記介在部材に対し、前記第２部材の回転軸の延びる方向に沿って離間した位置に、前記連結部材が配置される、請求項１に記載の読取装置。
【請求項８】
請求項１に記載の読取装置と、
シートに画像を形成する画像形成部と
を備え、
前記制御部は、前記画像形成部をさらに制御し、
前記筐体は、前記画像形成部をさらに収容する、画像形成装置。
【請求項９】
前記第２部材が前記第１部材に回転可能に取り付けられる場所に、前記カバー部の回転軸が位置し、
前記ケーブル及び前記連結部材の各々は、前記回転軸の延びる方向に沿って、前記介在部材に対して離間した位置に配置される、請求項１に記載の読取装置。
【発明の詳細な説明】
【技術分野】
【０００１】
本発明は、読取装置、及び画像形成装置に関する。
【背景技術】
【０００２】
特許文献１に記載の画像形成装置は、開閉部と、本体部と、フレキシブルフラットケーブルと、ガイド部とを備える。開閉部は、本体部に対し、昇降可能、かつ、回転可能に連結される。開閉部は、ヒンジ部を介して本体部に連結される。フレキシブルフラットケーブルは、読取部と制御基板とを電気的に接続する。ガイド部は、フレキシブルフラットケーブルが開閉部の回転又は昇降に追従するように、フレキシブルフラットケーブルを案内する。
【先行技術文献】
【特許文献】
【０００３】
【特許文献１】特開２０１１−２０５３４１号公報
【発明の概要】
【発明が解決しようとする課題】
【０００４】
しかし、ヒンジ部が本端部のガイド孔から抜けて、本体部（筐体）から開閉部（カバー部）が外れるおそれがある。また、開閉部が本体部から外れると、フレキシブルフラットケーブルが、読取部、及び／又は、制御基板から外れるおそれがある。【０００５】
本発明は、筐体からカバー部が外れることを抑制することが可能な読取装置、及び画像形成装置を提供することを目的としている。
【課題を解決するための手段】
【０００６】
本発明の一局面によれば、読取装置は、読取部と、筐体と、カバー部と、搬送部と、介在部材と、制御部と、ケーブルと、連結部材とを備える。読取部は、シートに形成された画像を読み取る。筐体は、前記読取部を収容する。カバー部は、前記筐体上に載置可能である。搬送部は、前記カバー部に収容され、シートを搬送する。介在部材は、前記カバー部と前記筐体との間に介在する。制御部は、前記筐体に収容され、前記搬送部を制御する。ケーブルは、前記制御部に接続されると共に、前記搬送部に接続され、前記制御部の出力した制御信号を前記搬送部に送る。連結部材は、前記カバー部に連結されると共に、前記筐体に連結される。前記筐体には、前記介在部材を設置するための筐体孔が形成される。前記介在部材は、第１部材と、第２部材とを含む。第１部材は、前記筐体孔に挿入され、鉛直方向に沿って移動可能に支持される。第２部材は、前記第１部材に回転可能に取り付けられる。前記カバー部が前記第２部材に固定される。【０００７】
本発明の他の一局面によれば、画像形成装置は、上記読取装置と、画像形成部とを備える。画像形成部は、シートに画像を形成する。上記制御部は、前記画像形成部をさらに制御する。上記筐体は、前記画像形成部をさらに収容する。
【発明の効果】
【０００８】
本発明によれば、筐体からカバー部が外れることを抑制することができる。
【図面の簡単な説明】
【０００９】
【図１】本発明の実施形態に係る読取装置の模式的断面図である。
【図２Ａ】読取装置の斜視図である。
【図２Ｂ】介在部材の斜視図である。
【図３】介在部材の使用形態を示す図である。
【図４Ａ】図１のＩＶ−ＩＶ切断面の斜視図である。
【図４Ｂ】図１のＩＶ−ＩＶ切断面の斜視図である。
【図５Ａ】読取装置のカバー部が閉じた状態を示す模式的断面図である。
【図５Ｂ】読取装置のカバー部が鉛直方向Ｖのうちの上方に移動した状態を示す模式的断面図である。
【図６】画像形成装置の斜視図である。
【図７】画像形成装置の模式的断面図である。
【図８】画像形成装置のカバー部が閉じた状態を示す模式的断面図である。
【図９】画像形成装置のカバー部が鉛直方向のうちの上方に移動した状態を示す模式的断面図である。
【図１０】画像形成装置の変形例のカバー部が閉じた状態を示す模式的断面図である。
【図１１】画像形成装置の変形例のカバー部が鉛直方向Ｖのうちの上方に移動した状態を示す模式的断面図である。
【発明を実施するための形態】
【００１０】
本発明の実施形態について、図面を参照しながら説明する。なお、図中、同一又は相当部分については同一の参照符号を付して説明を繰り返さない。
【００１１】
［第１実施形態］
図１から図３を参照して、本発明の第１実施形態を示す読取装置１００について説明する。図１は、読取装置１００の模式的断面図である。図２Ａは、読取装置１００の斜視図である。
【００１２】
図１、及び図２Ａに示すように、読取装置１００は、カバー部１１０と、トレイ１２０と、搬送部１３０とを有する。
【００１３】
カバー部１１０は、中空の形状を有する。トレイ１２０は、カバー部１１０の外部に配置される。トレイ１２０は、カバー部１１０に連結される。トレイ１２０には、シートが載置される。シートは、例えば、普通紙、コピー紙、再生紙、薄紙、厚紙、光沢紙、又はＯＨＰ（Ｏｖｅｒｈｅａｄ  Ｐｒｏｊｅｃｔｏｒ）用紙である。カバー部１１０は、回転可能に支持される。具体的には、カバー部１１０は、回転軸Ｌの軸回りに回転可能に支持される。回転軸Ｌは、カバー部１１０の回転軸を示す。カバー部１１０は、回転縁部１１１と、支点縁部１１２とを有する。回転縁部１１１は、カバー部１１０が閉じた状態で、カバー部１１０のうち、第１方向Ｄ１の他側に位置する縁部を示す。支点縁部１１２は、カバー部１１０が閉じた状態で、カバー部１１０のうち、第１方向Ｄ１の一側に位置する縁部を示す。支点縁部１１２には、回転軸Ｌに沿って形成される。第１実施形態では、支点縁部１１２を中心にして回転縁部１１１が回転する。回転縁部１１１と、支点縁部１１２とは、第２方向Ｄ２に沿って延びる。第２方向Ｄ２は、カバー部１１０の回転軸Ｌに対し平行な方向を示す。第１方向Ｄ１は、第２方向Ｄ２に対し垂直な方向を示す。また、第１実施形態では、第１方向Ｄ１、及び第２方向Ｄ２の各々は、水平方向に対し平行な方向を示す。
【００１４】
搬送部１３０は、シートを搬送する。具体的には、搬送部１３０は、トレイ１２０からシートを搬送する。搬送部１３０は、例えば、ＡＤＦ（ａｕｔｏ  ｄｏｃｕｍｅｎｔ  ｆｅｅｄｅｒ）として機能する。搬送部１３０は、カバー部１１０に収容される。搬送部１３０は、ローラー１３１と、第１駆動部１３２とを有する。
【００１５】
ローラー１３１は、例えば、ピックアップローラーと、分離ローラーと、搬送ローラーと、排出ローラーとを含む。ピックアップローラーは、トレイ１２０に載置されるシートをカバー部１１０の内部へ送り込む。分離ローラーは、シートを１枚ずつ分離して送り出す。搬送ローラーは、カバー部１１０の内部でシートを搬送する。排出ローラーは、搬送ローラーにより搬送されたシートを、カバー部１１０の外部へ排出する。
【００１６】
第１駆動部１３２は、ローラー１３１を回転させる駆動源である。第１駆動部１３２は、ローラー１３１を回転させて、ローラー１３１によりシートを搬送する。具体的には、一対のローラー１３１が、シートを挟持しつつ回転することで、シートを搬送する。第１駆動部１３２は、例えば、モーターである。
【００１７】
読取装置１００は、画像読取部１４０をさらに備える。
【００１８】
画像読取部１４０は、対向部１４１と、載置部１４２と、読取部１４３と、第２駆動部１４４とを有する。
【００１９】
対向部１４１は、搬送部１３０により搬送されるシートに対向可能な場所に配置される。対向部１４１は、搬送部１３０により搬送されるシートの搬送経路上に配置される。対向部１４１は、例えば、コンタクトガラスである。載置部１４２には、シートを載置可能である。載置部１４２は、対向部１４１に対し、第２方向Ｄ２の他側に配置される。載置部１４２は、例えば、コンタクトガラスである。
【００２０】
読取部１４３は、シートに形成された画像を読み取る。具体的には、読取部１４３は、搬送部１３０により搬送されるシートに形成された画像を読み取る。なお、カバー部１１０が閉じた状態で、読取部１４３は、搬送部１３０により搬送されるシートに形成された画像を読み取る。また、読取部１４３は、載置部１４２に載置されているシートに形成された画像を読み取る。画像を読み取るとは、画像を走査して、画像を示す画像データを取得することを示す。
【００２１】
読取部１４３は、例えば、ＣＩＳ（Ｃｏｎｔａｃｔ  Ｉｍａｇｅ  Ｓｅｎｓｏｒ）である。読取部１４３は、例えば、ＬＥＤ（Ｌｉｇｈｔ  Ｅｍｉｔｔｉｎｇ  Ｄｉｏｄｅ）のような発光部と、イメージセンサーのような撮像部とを含む。読取部１４３は、発光部、及び撮像部を用いて、シートに形成された画像を走査する。
【００２２】
読取部１４３は、対向部１４１よりも下方に配置される。また、読取部１４３は、載置部１４２よりも下方に配置される。読取部１４３は、第２方向Ｄ２に沿って移動可能に支持される。
【００２３】
読取部１４３が対向部１４１の下方に位置する状態で、搬送部１３０がシートを搬送することで、読取部１４３がシートに形成された画像を読み取る。この場合、シートが対向部１４１を通過する際に、読取部１４３がシートに形成された画像を読み取る。
【００２４】
シートが載置部１４２に載置された状態で、読取部１４３が載置部１４２に沿って移動することで、読取部１４３がシートに形成された画像を読み取る。この場合、読取部１４３が載置部１４２に沿って移動しつつ、シートに形成された画像を読み取る。
【００２５】
第２駆動部１４４は、読取部１４３を移動させる駆動源である。第２駆動部１４４は、例えば、モーターである。
【００２６】
読取装置１００は、入力部１５１と、記憶部１５２と、制御部１５３とをさらに備える。
【００２７】
入力部１５１は、読取装置１００に対する指示を受け付ける。入力部１５１を介して、例えば、シートに形成された画像を読み取る旨の指示が入力される。入力部１５１は、例えば、タッチパネル、及び／又は、操作キー群を含む。
【００２８】
記憶部１５２は、記憶装置を含む。記憶装置は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）を含み、補助記憶装置（例えば、ハードディスクドライブ）をさらに含んでもよい。主記憶装置及び／又は補助記憶装置は、制御部１５３によって実行される種々のコンピュータープログラムを記憶する。
【００２９】
制御部１５３は、ＣＰＵ（Ｃｅｎｔｒａｌ  Ｐｒｏｃｅｓｓｉｎｇ  Ｕｎｉｔ）及びＭＰＵ（Ｍｉｃｒｏ  Ｐｒｏｃｅｓｓｉｎｇ  Ｕｎｉｔ）のようなプロセッサーを含む。制御部１５３は、読取装置１００の各要素を制御する。具体的には、制御部１５３のプロセッサーは、記憶装置に記憶されたコンピュータープログラムを実行することにより、搬送部１３０と、読取部１４３とを制御する。第１実施形態では、詳細には、制御部１５３は、第１駆動部１３２と、読取部１４３と、第２駆動部１４４とを制御する。
【００３０】
第１駆動部１３２がローラー１３１を回転させてシートを搬送するように、制御部１５３が第１駆動部１３２を制御する。また、読取部１４３がシートに形成された画像を読み取るように、制御部１５３が読取部１４３を制御する。また、第２駆動部１４４が読取部１４３を移動させるように、制御部１５３が第２駆動部１４４を制御する。
【００３１】
読取装置１００は、筐体１６０をさらに備える。筐体１６０は、中空の形状を有する。筐体１６０は、画像読取部１４０と、記憶部１５２と、制御部１５３とを収容する。
【００３２】
筐体１６０は、天井部１６１と、第１開口部１６２と、第２開口部１６３とを含む。天井部１６１は、板状の部材である。天井部１６１は、筐体１６０の上部に配置される。天井部１６１と対向部１４１と載置部１４２とにより、筐体１６０の上部が閉塞される。
【００３３】
第１開口部１６２と、第２開口部１６３とは、筐体１６０の上部に配置される。第１開口部１６２と、第２開口部１６３とは、天井部１６１に形成される。第１開口部１６２と、第２開口部１６３とは、筐体１６０の外部と筐体１６０の内部とを連通する。第１開口部１６２と、第２開口部１６３とは、第２方向Ｄ２に沿って、互いに間隔を空けて配置される。第１開口部１６２には、対向部１４１が配置される。第１開口部１６２は、対向部１４１により閉塞される。第２開口部１６３には、載置部１４２が配置される。第２開口部１６３は、載置部１４２により閉塞される。その結果、対向部１４１の上面と、載置部１４２の上面とが、筐体１６０の上部から筐体１６０の外部に露出している。
【００３４】
筐体１６０は、一対の筐体孔１６４と、貫通孔１６５とをさらに含む。一対の筐体孔１６４と、貫通孔１６５との各々は、筐体１６０の上部に形成される。一対の筐体孔１６４と、貫通孔１６５との各々は、天井部１６１に形成される。一対の筐体孔１６４と、貫通孔１６５との各々は、筐体１６０の外部と筐体１６０の内部とを連通する。一対の筐体孔１６４と、貫通孔１６５との各々は、鉛直方向Ｖに沿って延びる形状を有する。一対の筐体孔１６４と、貫通孔１６５との各々は、筐体１６０のうち、第１方向Ｄ１の一側の縁部に配置される。一対の筐体孔１６４と、貫通孔１６５とは、第２方向Ｄ２に沿って互いに間隔を空けて配置される。また、一対の筐体孔１６４の間に貫通孔１６５が配置される。なお、一対の筐体孔１６４の各々は、底の無い孔であってもよい。つまり、一対の筐体孔１６４の各々は、筐体孔１６４の内部と筐体孔１６４の外部とを連通していてもよい。また、一対の筐体孔１６４の各々は、底の有る孔であってもよい。つまり、一対の筐体孔１６４の各々は、筐体孔１６４の内部と筐体孔１６４の外部とを連通していなくてもよい。
【００３５】
一対の筐体孔１６４の各々は、カバー部１１０に対向する。詳細には、一対の筐体孔１６４の各々は、カバー部１１０の支点縁部１１２に対向する。また、貫通孔１６５は、カバー部１１０に対向する。詳細には、貫通孔１６５は、カバー部１１０の支点縁部１１２に対向する。
【００３６】
一対の筐体孔１６４は、第１筐体孔１６４ａと、第２筐体孔１６４ｂとで構成される。第１筐体孔１６４ａは、筐体１６０のうち、第２方向Ｄ２の一側に配置される。第２筐体孔１６４ｂは、筐体１６０のうち、第２方向Ｄ２の他側に配置される。
【００３７】
筐体１６０のうち、第１方向Ｄ１の他側には、入力部１５１が配置される。従って、ユーザーは、筐体１６０に対して第１方向Ｄ１の他側から、入力部１５１を操作する。
【００３８】
カバー部１１０は、筐体１６０上に載置可能である。カバー部１１０が筐体１６０上に載置された状態で、カバー部１１０が対向部１４１と載置部１４２とに対向する。
【００３９】
カバー部１１０と筐体１６０との間には、シートを配置可能である。カバー部１１０が閉じられ、カバー部１１０と筐体１６０との間にシートが配置された状態で、読取部１４３がシートに形成された画像を読み取る。
【００４０】
読取装置１００は、一対の介在部材１７０をさらに備える。
【００４１】
次に、図２Ａから図３を参照して、介在部材１７０について説明する。図２Ｂは、介在部材１７０の斜視図である。図３は、介在部材１７０の使用形態を示す図である。
【００４２】
一対の介在部材１７０は、互いに同じ構造を有する。以下では、一対の介在部材１７０のうちの１つの構成について説明する。
【００４３】
図２Ａ、及び図２Ｂに示すように、介在部材１７０は、カバー部１１０と筐体１６０との間に介在する。介在部材１７０は、筐体孔１６４に設置される。介在部材１７０は、カバー部１１０を回転可能に支持すると共に、カバー部１１０を鉛直方向Ｖに沿って移動可能に支持する。詳細には、介在部材１７０は、筐体１６０に対し、カバー部１１０を回転可能に支持すると共に、筐体１６０に対し、カバー部１１０を鉛直方向Ｖに沿って移動可能に支持する。介在部材１７０は、カバー部１１０の回転の支点として機能する。
【００４４】
介在部材１７０は、第１部材１７０ａと、第２部材１７０ｂとを含む。詳細には、一対の介在部材１７０の各々は、第１部材１７０ａと、第２部材１７０ｂとを含む。
【００４５】
第１部材１７０ａは、筐体孔１６４に挿入される。具体的には、第１部材１７０ａの下部は、筐体孔１６４に挿入される。第１部材１７０ａの上部は、筐体１６０の上側に突出している。第１部材１７０ａは、筐体孔１６４に沿って摺動する。従って、第１部材１７０ａは、鉛直方向Ｖに沿って移動可能に支持される。具体的には、第１部材１７０ａは、筐体１６０により、鉛直方向Ｖに沿って移動可能に支持される。
【００４６】
第２部材１７０ｂは、第１部材１７０ａに回転可能に取り付けられる。第２部材１７０ｂが第１部材１７０ａに回転可能に取り付けられる場所に、カバー部１１０の回転軸Ｌが位置する。第２部材１７０ｂは、第１部材１７０ａの上部に回転可能に取り付けられる。従って、第２部材１７０ｂは、筐体１６０の上方部に配置される。また、第２部材１７０ｂには、カバー部１１０が固定される。第２部材１７０ｂは、カバー部１１０の支点縁部１１２に固定される。従って、第２部材１７０ｂとカバー部１１０とが、第１部材１７０ａに対し、一体で回転する。また、第２部材１７０ｂとカバー部１１０とは、筐体１６０に対し、一体で回転する。このとき、カバー部１１０は、第２部材１７０ｂを中心に回転する。
【００４７】
第１部材１７０ａの下端は、筐体孔１６４に挿入可能なサイズを有する。具体的には、第１部材１７０ａの下端のサイズは、筐体孔１６４の開口のサイズよりも小さい。従って、第１部材１７０ａの下端が、筐体孔１６４の開口の上方に配置された状態から、第１部材１７０ａが下降すると、第１部材１７０ａの下端が、筐体孔１６４の開口を通じて筐体孔１６４に挿入される。その結果、第１部材１７０ａを筐体孔１６４に挿入し、カバー部１１０を筐体１６０に装着する作業を円滑に行うことが可能になる。
【００４８】
一対の介在部材１７０は、第１介在部材１７１と、第２介在部材１７２とで構成される。第１実施形態では、第１介在部材１７１の第１部材１７０ａは、第１筐体孔１６４ａに挿入される。第２介在部材１７２の第１部材１７０ａは、第２筐体孔１６４ｂに挿入される。
【００４９】
カバー部１１０が回転すると、筐体１６０に対し、カバー部１１０の回転縁部１１１が近接又は離間する。カバー部１１０が回転すると、筐体１６０に対し、カバー部１１０を開閉することができる。カバー部１１０が閉じた状態のとき、筐体１６０上にカバー部１１０が載置される。また、カバー部１１０が閉じた状態のとき、カバー部１１０の下面１１３が対向部１４１と、載置部１４２とに対向し、回転縁部１１１が天井部１６１に接触する。これに対し、カバー部１１０が開いた状態のとき、筐体１６０に対し、カバー部１１０の回転縁部１１１が鉛直方向Ｖのうちの上方へ離間する。カバー部１１０が開くことで、カバー部１１０と筐体１６０との間にシートを配置することが可能になる。そして、カバー部１１０が閉じられて、シートが走査される。
【００５０】
図３に示すように、第１部材１７０ａが鉛直方向Ｖに沿って移動すると、カバー部１１０が第１部材１７０ａと共に移動する。このとき、第１部材１７０ａが、筐体孔１６４に沿って摺動する。従って、筐体１６０に対し、カバー部１１０は、鉛直方向Ｖに沿って移動可能に支持される。例えば、筐体１６０に対し、カバー部１１０が鉛直方向Ｖのうちの上方に移動し、カバー部１１０と筐体１６０との間隔が広がると、筐体１６０とカバー部１１０との間に、分厚い本Ｂを配置することができる。その結果、筐体１６０に収容される読取部１４３により分厚い本Ｂを走査し本Ｂの画像を読み取ることが可能になる。
【００５１】
読取装置１００は、ケーブル１８０と、連結部材１９０とをさらに備える。
【００５２】
次に、図４Ａ及び図５Ａを参照して、ケーブル１８０について説明する。図４Ａは、図１のＩＶ−ＩＶ切断面の斜視図である。なお、図４Ａにおいて、連結部材１９０の図示は省略する。図５Ａは、カバー部１１０が閉じた状態を示す模式的断面図である。
【００５３】
図４Ａ、及び図５Ａに示すように、ケーブル１８０は、搬送部１３０と、制御部１５３とを電気的に接続する。ケーブル１８０は、搬送部１３０と、制御部１５３とに接続される。詳細には、ケーブル１８０は、搬送部１３０の第１駆動部１３２と、制御部１５３とに接続される。ケーブル１８０は、例えば、基板１３３を介して搬送部１３０に接続される。また、ケーブル１８０は、制御部１５３の出力する制御信号を搬送部１３０（第１駆動部１３２）に送る。制御信号は、例えば、第１駆動部１３２を作動させ、搬送部１３０によりシートを搬送させることを示す信号である。第１実施形態では、ケーブル１８０は、フラットケーブルである。また、ケーブル１８０は、可撓性を有する。つまり、ケーブル１８０は、可撓性を有する部材を含む。ケーブル１８０は、例えば、絶縁性の被膜で覆われた複数の導線が帯状に一体に形成された構造を有する。
【００５４】
ケーブル１８０は、カバー部１１０の内部で搬送部１３０に接続される。具体的には、ケーブル１８０の一端部１８１は、カバー部１１０に形成された孔１１４を通じてカバー部１１０の内部に進入し、カバー部１１０の内部で搬送部１３０に接続される。
【００５５】
カバー部１１０の孔１１４は、カバー部１１０の下部に形成される。カバー部１１０の孔１１４は、カバー部１１０の内部とカバー部１１０の外部とを連通する。また、カバー部１１０の孔１１４は、筐体１６０の貫通孔１６５と対向する。
【００５６】
ケーブル１８０は、筐体１６０の内部で制御部１５３に接続される。具体的には、ケーブル１８０の他端部１８２は、貫通孔１６５（図２Ａ参照）を通じて筐体１６０の内部に進入し、筐体１６０の内部で制御部１５３に接続される。
【００５７】
ケーブル１８０が搬送部１３０と制御部１５３とに接続されることで、制御部１５３の出力した制御信号を、ケーブル１８０を介して搬送部１３０に送ることが可能になる。
【００５８】
ケーブル１８０は、カバー部１１０の支点縁部１１２に配置される（図２Ａ参照）。また、ケーブル１８０は、第２部材１７０ｂの回転軸Ｌの延びる方向に沿って、介在部材１７０に対して離間した位置に配置される。第１実施形態では、回転軸Ｌの延びる方向は、第２方向Ｄ２を示す。また、第１実施形態では、ケーブル１８０は、第２介在部材１７２の隣りに配置される。
【００５９】
次に、図４Ｂ及び図５Ａを参照して、連結部材１９０について説明する。図４Ｂは、図１のＩＶ−ＩＶ断面図である。なお、図４Ｂにおいて、ケーブル１８０の図示は省略する。
【００６０】
図４Ｂ、及び図５Ａに示すように、連結部材１９０は、カバー部１１０に連結されると共に、筐体１６０に連結される。従って、カバー部１１０と、筐体１６０とは、連結部材１９０を介して互いに連結される。
【００６１】
連結部材１９０は、帯状の形状を有する。連結部材１９０は、ケーブル１８０に隣接して配置される。
【００６２】
連結部材１９０は、カバー部１１０の内部でカバー部１１０に連結される。具体的には、連結部材１９０の一端部１９１は、カバー部１１０に形成された孔１１４を通じてカバー部１１０の内部に進入し、カバー部１１０の内部でカバー部１１０に連結される。連結部材１９０は、例えば、ビスによりカバー部１１０に連結される。なお、連結部材１９０がカバー部１１０に連結されるとは、連結部材１９０がカバー部１１０に直接に連結される場合のみならず、連結部材１９０がカバー部１１０に間接に連結される場合も含まれる。連結部材１９０がカバー部１１０に間接に連結される場合は、例えば、カバー部１１０に支持される部材に連結部材１９０が連結される場合を示す。
【００６３】
連結部材１９０は、筐体１６０の内部で筐体１６０に連結される。具体的には、連結部材１９０の他端部１９２は、貫通孔１６５（図２Ａ参照）を通じて筐体１６０の内部に進入し、筐体１６０の内部で筐体１６０に連結される。連結部材１９０は、例えば、ビスにより筐体１６０に連結される。なお、連結部材１９０が筐体１６０に連結されるとは、連結部材１９０が筐体１６０に直接に連結される場合のみならず、連結部材１９０が筐体１６０に間接に連結される場合も含まれる。連結部材１９０が筐体１６０に間接に連結される場合は、例えば、筐体１６０に支持される部材に連結部材１９０が連結される場合を示す。
【００６４】
筐体１６０の内部で、連結部材１９０が筐体１６０に連結されることで、連結部材１９０を筐体１６０でカバーすることができる。その結果、連結部材１９０が損傷することを抑制することが可能になる。
【００６５】
連結部材１９０は、カバー部１１０の支点縁部１１２に配置される。また、連結部材１９０は、第２部材１７０ｂの回転軸Ｌ（図２Ａ参照）の延びる方向に沿って、介在部材１７０に対して離間した位置に配置される。従って、連結部材１９０が、カバー部１１０の支点縁部１１２に配置される。その結果、カバー部１１０が開閉される際、連結部材１９０が邪魔になることを抑制できる。なお、第１実施形態では、連結部材１９０は、第２介在部材１７２の隣りに配置される。
【００６６】
連結部材１９０は、可撓性を有する。さらに、連結部材１９０は、導電性を有する。つまり、連結部材１９０は、可撓性を有する部材を含むと共に、導電性を有する部材を含む。連結部材１９０は、例えば、金属製の部材で構成される。連結部材１９０は、例えば、銅を含む。なお、連結部材１９０は、例えば、樹脂製の部材に、導電性を有する金属製の部材を固定した構造を有していてもよい。
【００６７】
連結部材１９０が可撓性を有することで、カバー部１１０を開ける動作、カバー部１１０を閉じる動作、及びカバー部１１０を鉛直方向Ｖに沿って移動させる動作を円滑に行うことが可能になる。
【００６８】
また、連結部材１９０が導電性を有することで、連結部材１９０を介して搬送部１３０を筐体１６０に接地させることが可能になる。その結果、搬送部１３０に静電気が発生することを抑制することが可能になる。
【００６９】
以上、図４Ａから図５Ａを参照して説明したように、連結部材１９０は、カバー部１１０に連結されると共に、筐体１６０に連結される。従って、カバー部１１０が開き、カバー部１１０が筐体１６０から外れようとすると、連結部材１９０が張り、カバー部１１０の開く動作を規制することができる。その結果、カバー部１１０が筐体１６０から外れることを抑制することができる。なお、連結部材１９０が張るとは、連結部材１９０がピンと張り、伸長不能な状態になることを示す。また、カバー部１１０が筐体１６０から外れるとは、第１部材１７０ａが筐体孔１６４から抜けることを示す。
【００７０】
次に、図５Ａ、及び図５Ｂを参照して、介在部材１７０、ケーブル１８０、及び連結部材１９０の各々の寸法について説明する。図５Ｂは、カバー部１１０が鉛直方向Ｖのうちの上方に移動した状態を示す模式的断面図である。
【００７１】
図５Ａに示すように、カバー部１１０が閉じた状態のとき、第１部材１７０ａは、筐体孔１６４に挿入される。また、カバー部１１０が閉じた状態のとき、ケーブル１８０、及び連結部材１９０の各々は、弛んでいる。
【００７２】
図５Ｂに示すように、カバー部１１０が鉛直方向Ｖのうちの上方に移動すると、第１部材１７０ａが筐体孔１６４に挿入された状態を保持しつつ、連結部材１９０が張る。連結部材１９０が張ると、カバー部１１０が鉛直方向Ｖのうちの上方に移動することが規制される。その結果、第１部材１７０ａが筐体孔１６４から抜けることを抑制することができ、カバー部１１０が筐体１６０から外れることを抑制することができる。なお、第１部材１７０ａが筐体孔１６４から抜けるとは、言い換えれば、第１部材１７０ａが、筐体１６０から離間し、筐体１６０から外れることを示す。
【００７３】
また、カバー部１１０が鉛直方向Ｖのうちの上方に移動すると、ケーブル１８０が弛んだ状態で、連結部材１９０が張る。つまり、ケーブル１８０が張る前に、連結部材１９０が張る。従って、カバー部１１０がさらに上方に移動することが規制され、ケーブル１８０が張る状態になることが規制される。その結果、ケーブル１８０が搬送部１３０（基板１３３）、及び／又は、制御部１５３から外れることを抑制できる。連結部材１９０が張ったときの長さは、ケーブル１８０が張ったときの長さより短く、かつ、第１部材１７０ａが筐体１６０から離間するのを抑制する長さといえる。
【００７４】
［第２実施形態］
図６、及び図７を参照して、本発明の第２実施形態を示す画像形成装置２００について説明する。図６は、画像形成装置２００の斜視図である。図７は、画像形成装置２００の模式的断面図である。第２実施形態の画像形成装置２００は、第１実施形態の読取装置１００に対し、画像形成機能を追加している。
【００７５】
図６、及び図７に示すように、画像形成装置２００は、読取装置１００と、カセット２０１と、給送ローラー２０２と、搬送ローラー２０３と、画像形成部２０４と、排出ローラー２０５と、第３駆動部２０６と、筐体２１０とを備える。
【００７６】
カセット２０１は、シートを収容する。給送ローラー２０２は、カセット２０１内のシートを送出する。搬送ローラー２０３は、給送ローラー２０２から搬送されたシートを、画像形成部２０４に向けて送出する。
【００７７】
画像形成部２０４は、シートに画像を形成する。詳細には、画像形成部２０４は、カセット２０１から供給されたシートに画像を形成する。画像は、具体的には、トナー画像を示す。画像形成部２０４は、感光体ドラムと、帯電部と、露光部と、現像部と、転写部と、クリーニング部と、除電部とを含む。感光体ドラム、帯電部、露光部、現像部、及び転写部によって、シートに画像が形成される。クリーニング部は、感光体ドラムの表面に残留しているトナーを除去する。除電部は、感光体ドラムの表面の残留電荷を除去する。画像形成部２０４は、シートに画像を形成した後、シートを定着部に向けて送出する。定着部は、画像を加熱及び加圧してシートに定着させる。
【００７８】
排出ローラー２０５は、画像形成部２０４を通過したシートを筐体２１０の外部へ排出する。
【００７９】
第３駆動部２０６は、給送ローラー２０２と、搬送ローラー２０３と、排出ローラー２０５とを回転させる駆動源である。第３駆動部２０６は、給送ローラー２０２と、搬送ローラー２０３と、排出ローラー２０５とを回転させてシートを搬送する。第３駆動部２０６は、例えば、モーターである。
【００８０】
筐体２１０は、中空の形状を有する。筐体２１０は、画像読取部１４０と、記憶部１５２と、制御部１５３と、カセット２０１と、給送ローラー２０２と、搬送ローラー２０３と、画像形成部２０４と、排出ローラー２０５と、第３駆動部２０６とを収容する。筐体２１０には、連結部材１９０が連結される。
【００８１】
筐体２１０は、第１筐体部２１１と、第２筐体部２１２とを有する。
【００８２】
第１筐体部２１１は、第１実施形態の筐体１６０として機能する。第１筐体部２１１は、画像読取部１４０を収容する。第１筐体部２１１上には、カバー部１１０が載置可能である。
【００８３】
第２筐体部２１２は、記憶部１５２と、制御部１５３と、カセット２０１と、給送ローラー２０２と、搬送ローラー２０３と、画像形成部２０４と、排出ローラー２０５と、第３駆動部２０６とを収容する。なお、第１実施形態では、第１筐体部２１１に相当する筐体１６０が、記憶部１５２と、制御部１５３とを収容する。これに対し、第２実施形態では、第２筐体部２１２が、記憶部１５２と、制御部１５３とを収容する。
【００８４】
第２筐体部２１２上には、第１筐体部２１１が載置される。第２筐体部２１２には、第１筐体部２１１が固定される。
【００８５】
制御部１５３は、画像形成装置２００の各要素を制御する。制御部１５３は、搬送部１３０（第１駆動部１３２）と、読取部１４３と、第２駆動部１４４と、画像形成部２０４と、第３駆動部２０６とを制御する。
【００８６】
次に、図８を参照して、ケーブル１８０の配置される場所、連結部材１９０の配置される場所について説明する。図８は、カバー部１１０が閉じた状態を示す模式的断面図である。
【００８７】
図８に示すように、ケーブル１８０の他端部１８２は、第２筐体部２１２の内部で制御部１５３に接続される。具体的には、ケーブル１８０の他端部１８２は、第１筐体部２１１を介して第２筐体部２１２の内部に進入し、第２筐体部２１２の内部で制御部１５３に接続される。
【００８８】
連結部材１９０は、第２筐体部２１２に連結される。連結部材１９０は、第２筐体部２１２の内部で第２筐体部２１２に連結される。具体的には、連結部材１９０の他端部１９２は、第１筐体部２１１を介して第２筐体部２１２の内部に進入し、第２筐体部２１２の内部で第２筐体部２１２に連結される。なお、連結部材１９０が第２筐体部２１２に連結されるとは、連結部材１９０が第２筐体部２１２に直接に連結される場合のみならず、連結部材１９０が第２筐体部２１２に間接に連結される場合も含まれる。連結部材１９０が第２筐体部２１２に間接に連結される場合は、例えば、第２筐体部２１２に支持される部材に連結部材１９０が連結される場合を示す。
【００８９】
次に、図８、及び図９を参照して、介在部材１７０、ケーブル１８０、及び連結部材１９０の各々の寸法について説明する。図９は、カバー部１１０が鉛直方向Ｖのうちの上方に移動した状態を示す模式的断面図である。
【００９０】
図８に示すように、第１筐体部２１１と、カバー部１１０との間には、一対の介在部材１７０が介在する。カバー部１１０が閉じた状態のとき、第１部材１７０ａは、筐体孔１６４に挿入される。また、カバー部１１０が閉じた状態のとき、ケーブル１８０、及び連結部材１９０の各々は、弛んでいる。
【００９１】
図９に示すように、カバー部１１０が鉛直方向Ｖのうちの上方に移動すると、第１部材１７０ａが筐体孔１６４に挿入された状態を保持しつつ、連結部材１９０が張る。その結果、第１部材１７０ａが筐体孔１６４から抜けることを抑制することができ、カバー部１１０が筐体２１０から外れることを抑制することができる。
【００９２】
また、カバー部１１０が鉛直方向Ｖのうちの上方に移動すると、ケーブル１８０が弛んだ状態で、連結部材１９０が張る。従って、カバー部１１０がさらに上方に移動することが規制され、ケーブル１８０が張る状態になることが規制される。その結果、ケーブル１８０が搬送部１３０（基板１３３）、及び／又は、制御部１５３から外れることを抑制できる。
【００９３】
以上、図面（図１〜図９）を参照しながら本発明の実施形態について説明した。但し、本発明は、上記の実施形態に限られるものではなく、その要旨を逸脱しない範囲で種々の態様において実施することが可能である（例えば、（１）〜（５））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【００９４】
（１）第２実施形態では、画像形成部２０４はトナー画像をシートに形成する。しかし、本発明はこれに限定されない。画像形成部２０４は、シートに画像を形成する機能を有していればよい。画像形成部２０４は、例えば、インク画像をシートに形成してもよい。つまり、画像形成部２０４は、インクジェット方式の画像形成部であってもよい。
【００９５】
（２）第１実施形態、及び第２実施形態において、単数の連結部材１９０が設けられる。しかし、本発明は、これに限定されず、複数の連結部材１９０が設けられてもよい。この場合、第１実施形態では、複数の連結部材１９０の各々は、カバー部１１０に連結されると共に、筐体１６０に連結される。また、この場合、第２実施形態では、複数の連結部材１９０の各々は、カバー部１１０に連結されると共に、筐体２１０に連結される。
【００９６】
（３）第１実施形態、及び第２実施形態において、読取装置１００のカバー部１１０に読取部が収容されていてもよい。以下、カバー部１１０に収容される読取部を収容読取部と記載する。この場合、収容読取部は、搬送部１３０により搬送されるシートの画像を読み取る。また、この場合、収容読取部によりシートの一面の画像を読み取り、読取部１４３によりシートの他の一面の画像を読み取るように構成してもよい。この場合、ケーブル１８０は、収容読取部にさらに接続される。そして、収容読取部の読み取った画像データがケーブル１８０を介して制御部１５３に送られる。また、制御部１５３は、収容読取部を制御する制御信号を、ケーブル１８０を介して収容読取部に送る。
【００９７】
（４）第１実施形態、及び第２実施形態において、連結部材１９０は、可撓性を有すると共に、導電性を有する。しかし、本発明は、これに限定されない。連結部材１９０が張ったときに、連結部材１９０は、ちぎれない程度の強度を有していればよい。また、例えば、連結部材１９０は、可撓性を有するが、導電性を有していなくてもよい。この場合、連結部材１９０を樹脂で構成してもよい。
【００９８】
（５）図８に示す第２実施形態の画像形成装置２００を、下記（ｉ）から（ｉｉｉ）のいずれかのように構成してもよい。
【００９９】
（ｉ）第２実施形態と同様に、連結部材１９０が第２筐体部２１２に連結される。しかし、第２実施形態とは異なり、制御部１５３が第１筐体部２１１に収容される。この場合、ケーブル１８０の他端部１８２は、第１筐体部２１１の内部で制御部１５３に接続される。
【０１００】
（ｉｉ）図１０は、カバー部１１０が閉じた状態を示す模式的断面図である。図１１は、カバー部１１０が鉛直方向Ｖのうちの上方に移動した状態を示す模式的断面図である。図１０、及び図１１に示すように、第２実施形態と同様に、制御部１５３が第２筐体部２１２に収容される。しかし、第２実施形態とは異なり、連結部材１９０が第１筐体部２１１に連結される。この場合、連結部材１９０は、第１筐体部２１１の内部で第１筐体部２１１に連結される。
【０１０１】
（ｉｉｉ）第２実施形態とは異なり、制御部１５３が第１筐体部２１１に収容される。さらに、第２実施形態とは異なり、連結部材１９０が第１筐体部２１１に連結される。この場合、ケーブル１８０の他端部１８２は、第１筐体部２１１の内部で制御部１５３に接続される。また、連結部材１９０は、第１筐体部２１１の内部で第１筐体部２１１に連結される。
【０１０２】
上記（ｉ）から（ｉｉｉ）のように構成する場合も、カバー部１１０が鉛直方向Ｖのうちの上方に移動すると、第１部材１７０ａが筐体孔１６４に挿入された状態を保持しつつ、連結部材１９０が張る。その結果、第１部材１７０ａが筐体孔１６４から抜けることを抑制することができ、カバー部１１０が筐体１６０から外れることを抑制することができる。また、カバー部１１０が鉛直方向Ｖのうちの上方に移動すると、ケーブル１８０が弛んだ状態で、連結部材１９０が張る。その結果、ケーブル１８０が搬送部１３０（基板１３３）、及び／又は、制御部１５３から外れることを抑制できる。
【産業上の利用可能性】
【０１０３】
本発明は、読取装置、及び画像形成装置の分野に利用可能である。
【図１】
2019097968.tif 000003
【図２Ａ】
2019097968.tif 000004
【図２Ｂ】
2019097968.tif 000005
【図３】
2019097968.tif 000006
【図４Ａ】
2019097968.tif 000007
【図４Ｂ】
2019097968.tif 000008
【図５Ａ】
2019097968.tif 000009
【図５Ｂ】
2019097968.tif 000010
【図６】
2019097968.tif 000011
【図７】
2019097968.tif 000012
【図８】
2019097968.tif 000013
【図９】
2019097968.tif 000014
【図１０】
2019097968.tif 000015
【図１１】
2019097968.tif 000016
【国際調査報告】
2019097968.tif 000017
2019097968.tif 000018